(57)【特許請求の範囲】
【請求項１】
洗滌槽内に洗剤を自動的に供給して内視鏡を洗滌・消毒する内視鏡洗滌消毒装置において、
前記洗剤を貯溜する洗剤容器と、
前記装置本体に設けられ、前記洗剤容器を着脱可能に載置する載置面を有し、前記洗剤容器内の洗剤の残量を計測する重量センサと、
前記洗剤容器の洗剤を前記洗滌槽に供給するための洗剤供給手段と、
前記重量センサによって計測した洗剤の残量度合いによって異なる報知をする報知手段と、
を具備したことを特徴とする内視鏡洗滌消毒装置。
【発明の詳細な説明】
【０００１】
【発明の属する技術分野】
本発明は、内視鏡を洗滌・消毒するための内視鏡洗滌消毒装置に関する。
【０００２】
【従来の技術】
従来から、内視鏡は体腔内の検査および治療に広く利用されており、その内部には送気、送水、吸引等を行なうための各種の管路が組み込まれている。そして、感染等を防止するため、内視鏡は、使用する毎に、その外表面および内部管路を洗滌消毒する必要がある。
【０００３】
こうした内視鏡の洗滌消毒に使用される内視鏡洗滌消毒装置としては、例えば特公平３−９７２９号公報に示されるものがある。この内視鏡洗滌消毒装置は、その洗滌槽の特に天井面が内視鏡の洗滌によって汚染されることに着目し、内視鏡だけでなく、それ自身の洗滌槽の天井面をも洗滌することができるようになっている。具体的には、洗滌槽内に天井面洗滌用のノズルを設け、このノズルから洗滌液を天井面に向けて噴出するように構成されている。また、ランニングコストや環境問題などから、内視鏡や天井面を洗滌した洗滌液を垂れ流しにせずにポンプで循環して使用している。
【０００４】
しかしながら、前記公報に開示された内視鏡洗滌消毒装置は、内視鏡の洗滌に使用された洗滌液を再度循環させて洗滌槽の天井面に向けて噴出させるようにしているため、その洗滌液に多量の細菌等の汚染物質が含まれていると、この汚染物質を循環使用される洗滌液とともに天井面に吹き付けてしまう虞がある。
【０００５】
また、天井面洗滌用のノズルから噴出される洗滌液の噴出圧が低いと、天井面に付着している細菌等の汚染物質を完全に洗い落とすことができなかったり、あるいは、洗滌液を洗い流すためのすすぎ工程において天井面に付着した洗滌剤を十分に洗い落とすことができない虞がある。
【０００６】
内視鏡洗滌消毒装置にあっては、洗滌槽の天井面が清潔に保たれていることが必要であり、そうでないと、天井面に付着した細菌等の汚染物質が洗滌槽にセットされた内視鏡に付着して、せっかく洗滌消毒した内視鏡を再汚染してしまう可能性がある。
【０００７】
そこで、前述のような問題を解決するために、特開平９−１６４１１７号公報に示す内視鏡洗滌消毒装置においては、洗滌工程では洗滌槽洗滌手段による洗滌槽の洗滌を行なわず、洗滌工程後に行なわれる工程で洗滌槽洗滌手段による洗滌槽の洗滌を行なうようにし、洗滌槽の天井面に付着した汚物を確実に除去し、天井面に付着した汚物によって内視鏡を汚染してしまう問題を解決している。
【０００８】
また、洗滌槽及び内視鏡を洗浄槽内で洗滌するためには、洗浄槽内に洗剤を供給する必要があるが、従来においては、洗剤を収容した洗剤ボトルを洗浄槽の外部に設置し、洗剤ボトルと洗浄槽とを送液チューブによって繋ぎ、この送液チューブの途中に設けた送液ポンプによって洗剤を洗浄槽に自動的に供給している。
【０００９】
【発明が解決しようとする課題】
しかし、従来においては、洗剤ボトル内の洗剤の残量を検知する手段がないため、係員が洗剤ボトルを定期的に交換したり、洗剤ボトルに定期的に洗剤を補給しているが、忘れることもあり、洗剤が不足して内視鏡の洗滌が十分に行われないという問題が発生する。
【００１０】
そこで、洗剤ボトル内の洗剤の残量を検知する手段として洗剤ボトルにフロートスイッチを設けること、洗剤ボトルの重量を重量センサによって検知すること、送液チューブ内に流量センサを設けることが考えられる。しかし、小型の洗剤ボトルにフロートスイッチを設けることは困難であり、またボトルへの洗剤の注入時に、ユーザーが誤ってフロートスイッチを破損してしまう恐れがあり、重量センサの場合は洗剤以外の送液チューブの荷重が加わり、送液チューブのセットが不十分であると正確に検知できない。また、送液チューブに流量センサを設けることは汚染の問題があり、また、送液量が少ないため正確に計量できないという事情がある。
【００１１】
本発明は前記事情に着目してなされたものであり、その目的とするところは、洗剤容器内の洗剤の残量を正確に検知でき、残量が設定値以下になったとき報知することができる内視鏡洗滌消毒装置を提供することにある。
【００１２】
【課題を解決するための手段】
本発明は、前記課題を解決するために、請求項１は、洗滌槽内に洗剤を自動的に供給して内視鏡を洗滌・消毒する内視鏡洗滌消毒装置において、前記洗剤を貯溜する洗剤容器と、前記装置本体に設けられ、前記洗剤容器を着脱可能に載置する載置面を有し、前記洗剤容器内の洗剤の残量を計測する重量センサと、前記洗剤容器の洗剤を前記洗滌槽に供給するための洗剤供給手段と、前記重量センサによって計測した洗剤の残量度合いによって異なる報知をする報知手段とを具備したことを特徴とする。
洗剤容器内の洗剤はポンプ等の洗剤供給手段によって洗滌槽に自動的に供給されるとともに、洗剤容器内の洗剤の残量は重量センサによって計測され、洗剤容器内の洗剤の残量度合いによって報知手段は異なる報知をする。
【００１３】
【発明の実施の形態】
以下、図面を参照しつつ本発明の各実施形態について説明する。
図１〜図３は第１の実施形態を示し、図１は内視鏡洗滌消毒装置の概略構成を示している。図示のように、この内視鏡洗滌消毒装置は、洗滌室を形成する洗滌槽２を有しており、洗滌槽２の内部に内視鏡１をセットして洗滌消毒することができるようになっている。洗滌槽２の開口部２ａには洗滌室の天井面を形成するトップカバー３が開閉可能に取り付けられており、このトップカバー３を開けて内視鏡１を洗滌槽２内にセットすることができるようになっている。
【００１４】
洗滌槽２の底部には振動板４が設置されている。この振動板４は、例えばランジュバン型の超音波振動子をその底面に取り付けてなり、洗滌槽２に溜められた洗滌液中に超音波振動を発振することができるようになっている。
【００１５】
洗滌槽２の底部中央には、洗滌槽２内の液量を削減する目的で塔５が設けられている。この塔５の内部には洗滌槽２内の液体を加保温するためのヒータ６が設けられている。
【００１６】
また、洗滌槽２の上縁部２ｂの一部にはノズル取付け台７が設けられ、このノズル取付け台７には給水ノズル８、洗滌液ノズル９、消毒液ノズル１０及びエアー抜きノズル１１が取り付けられている。すなわち、前記ノズル類は洗滌水や消毒液の逆流を防止するために洗滌槽２の液面より高い位置に設ける必要があり、洗滌槽２の一部に高台からなるノズル取付け台７を設けてノズル類を取付けている。消毒液ノズル１０は逆Ｕ字状に湾曲したパイプからなり、その湾曲外側、つまり上部には消毒液の一部を上方へ噴射するスリット１０ａが設けられている。
【００１７】
前記給水ノズル８は水道蛇口１２に接続された給水管路１３が接続されており、この給水管路１３を通じて水道水を洗滌槽２内に供給することができるようになっている。なお、給水管路１３の途中には給水弁１４が介装されている。
【００１８】
前記洗滌液ノズル９は送液管路１５を介して洗滌ポンプ１６の吐出側に接続され、洗滌ポンプ１６の吸込み側は第１の戻し管路１７を介して洗滌槽２の底部に設けられた第１の排液口１８に接続されている。送液管路１５と第１の戻し管路１７は、洗滌槽２内の液体を回収してこれを再び洗滌槽２へと圧送する第１の循環路１９を形成している。
【００１９】
また、洗滌槽２内の塔５には洗滌チューブ２０が接続されたチャンネルコネクタとしての第１のコネクタ２１ａが設けられている。この場合、洗滌チューブ２０は、内視鏡１の操作部に設けられ内視鏡１の内部管路（チャンネル）と連通する接続口部に着脱自在に接続されるようになっている。
【００２０】
第１の戻し管路１７の途中からは第２の戻し管路２２が分岐しており、この第２の戻し管路２２は第２の送液ポンプ２３の吸引側に接続されている。また、第２の送液ポンプ２３には第２の送液管路２４が接続されている。第２の送液管路２４は第１の分岐管路２５と第２の分岐管路２６とに分岐しており、第１の分岐管路２５は塔５に設けられた第１のコネクタ２１ａに接続され、第２の分岐管路２６は洗滌槽２内の塔５に設置された第２及び第３のコネクタ２１ｂ，２１ｃに接続されている。そして、これらの管路２２，２４，２５，２６は、洗滌槽２内の液体を回収してこれを内視鏡１の内部管路を通じて再び洗滌槽２へと圧送する第２の循環路２８を形成している。なお、第２の送液管路２４には逆止弁２９が介装されている。
【００２１】
また、第２の送液管路２４の途中には逆止弁３０を介してエアー供給管路３１が接続されている。このエアー供給管路３１にはコンプレッサー３２が接続されており、コンプレッサー３２からの圧縮空気をエアー供給管路３１を介して第２の送液管路２４に送り込むことができるようになっている。
【００２２】
また、洗滌槽２の底部には第２の排液口３３が設けられている。消毒液ノズル１０には、消毒液タンク３４に接続され且つ消毒液タンク３４からの消毒液をポンプ３５の吸引作用によって洗滌槽２内に供給する消毒液送液管路３６が接続されている。また、第２の排液口３３から延びる管路には管路切換弁３７を介して消毒液戻し管路３８と排液管路３９とが接続されている。消毒液戻し管路３８は、消毒液タンク３４に接続されており、洗滌槽２内の消毒液を消毒液タンク３４に回収する。また、排液管路３９には排液ポンプ４０が介装されている。
【００２３】
また、洗滌槽２の開口部２ａを覆うトップカバー３は、洗滌槽２に洗滌液や消毒液が満たされたとき、その液面に接する平面部３ａとノズル取付け台７に取り付けられた各種ノズル８，９，１０，１１を覆い液面より高くした凸部３ｂを有している。このトップカバー３は一部が洗滌槽２の上縁部２ｂにヒンジ（図示しない）によって開閉可能に設けられている。
【００２４】
さらに、図１及び図２に示すように、洗滌槽２の外部には洗剤を収容した洗剤容器としての洗剤ボトル４１が設置されている。洗剤ボトル４１は容器本体４１ａとこの容器本体４１ａに着脱可能な蓋体４１ｂとからなり、蓋体４１ｂには送液チューブ４２の基端部が挿入され、この基端部は洗剤ボトル４１の内底部まで延長している。
【００２５】
送液チューブ４２の先端部にはワンタッチコネクタ４３が設けられ、このワンタッチコネクタ４３は前記洗滌槽２の側壁に設けられた洗剤供給口４４に着脱可能に接続されている。さらに、送液チューブ４２の途中には公知のローラポンプ４５及びピンチバルブ４６が送液チューブ４２に対して着脱可能に設けられ、洗剤ボトル４１内の洗剤をローラポンプ４５によって定量ずつ送液して洗剤供給口４４から洗滌槽２に供給できるようになっている。
【００２６】
また、洗剤ボトル４１は重量センサとしてのロードセル４７に載置されている。すなわち、ロードセル４７によって洗剤ボトル４１内に収容された洗剤の残量を計測し、残量が設定値以下の場合には警報器４８から警報音を発生して係員に報知するようになっている。ここで、１回の洗滌に必要な洗剤の使用量を５０ｇ、洗剤ボトル４１の重量を５０ｇとし、洗滌工程の開始時に洗剤ボトル４１の総重量が１００ｇ以下の場合には報知するようになっている。
【００２７】
次に、前述のように構成された内視鏡洗滌消毒装置の作用について説明する。まず、使用済みの内視鏡１を洗滌槽２内にセットし、内視鏡１と第１のコネクタ２１ａとを洗滌チューブ２０によって接続する。洗滌槽２の開口部２ａをトップカバー３によって覆い、洗滌槽２を完全に液密状態に保持する。
【００２８】
次に、洗剤ボトル４１をロードセル４７に載置し、送液チューブ４２の基端部を洗剤ボトル４１に挿入し、送液チューブ４２の途中をローラポンプ４５及びピンチバルブ４６にセットする。さらに、ワンタッチコネクタ４３を洗剤供給口４４に接続する。
【００２９】
この状態、つまり洗滌工程の開始前に、図３のフローチャートに示すルーチンにしたがって洗剤ボトル４１の総重量を計測して少なくとも１回の洗滌に必要な洗剤が洗剤ボトル４１に残っている否かを確認する。すなわち、ステップＳ１で、洗剤ボトル総重量Ｗをロードセル４７によって計測し、ステップＳ２で、洗剤ボトル総重量Ｗが１００ｇより小さいか判定し、ＮＯの場合にはステップＳ３に移り、洗剤供給を開始し、ＹＥＳの場合にはステップＳ４に移り、警報器４８から異常警報音を発して係員に洗剤ボトル４１の洗剤残量が１回の洗滌に不十分であり、補給が必要であることを促す。なお、報知手段としては警報音に限らず、警報ランプを点滅してもよい。
【００３０】
洗剤ボトル４１内の洗剤の残量が設定値以下の場合には洗剤を補給した後、図示しない各種操作スイッチの操作によって洗滌、消毒、すすぎ、送気の各工程が自動的に行なわれる。
【００３１】
洗滌工程では、初めに給水弁１４が開き、例えば水道蛇口１２からの洗滌水が給水管路１３を介して給水ノズル８から洗滌槽２内に供給される。同時に、ローラポンプ４５が作動するとともに、ピンチバルブ４６が開弁し、洗剤ボトル４１内の洗剤は送液チューブ４２を介して洗剤供給口４４から１回の洗滌に必要な量の洗剤が洗滌槽２に供給され、供給が終了すると、ローラポンプ４５が停止し、ピンチローラ４６は閉弁される。
【００３２】
一定量の水が洗滌槽２内に供給されると、給水弁１４が閉じられ、第１および第２の送液ポンプ１６，２３が駆動される。これによって、洗滌槽２内の洗滌液の一部は、第１の循環路１９を循環して洗滌液ノズル９から内視鏡１の外面に高圧で吹き付けられるとともに、第２の循環路２８を通じて循環して内視鏡１の内部管路へと送られる。すなわち、洗滌槽２内の洗滌液は、第１の排液口１８から第１の送液ポンプ１６の吸引作用によって第１の戻し管路１７に吸引され、第１の送液管路１５を介して洗滌液ノズル９から噴射される。また、第１の戻し管路１７へ吸引された洗滌液の一部は第２の送液ポンプ２３の吸引作用によって第２の戻し管路２２に吸引されるとともに第２の送液管路２４と第１の分岐管路２５とを通じて第１のコネクタ２１ａから内視鏡１の内部管路へと送られる。なお、内視鏡１の内部管路へ送られた洗滌液は内視鏡１の先端開口を通じて洗滌槽２内に戻され再び第１の循環路１９または第２の循環路２８を循環することになる。
【００３３】
このような洗滌液の流れによって、内視鏡１に付着した大きな汚れ、柔らかい汚れ、軽い汚れ等が洗い落とされる。特に、こうした汚れは、洗滌液ノズル９から噴出される洗滌液の衝撃力や、これによって形成される洗滌槽２内の渦流によって内視鏡１の外面から欠き落とされる。
【００３４】
洗滌液のこのような循環作用による洗滌が所定時間行なわれると、続いて、振動板４が動作され超音波洗滌が行なわれる。この超音波洗滌では、振動板４から発せられる超音波振動によって内視鏡１に付着した堅い汚れや内視鏡１の複雑な形状部分に付着した汚れ等が強力に落とされる。
【００３５】
超音波洗滌が終了すると、再び前述した洗滌液の循環作用による洗滌が行なわれる。この段階では、超音波洗滌によってふやけて内視鏡１から剥がれかかった汚れが落とされる。
【００３６】
以上の洗滌工程が終了すると、続いてすすぎ工程が行なわれる。このすすぎ工程では、まず初めに、第１及び第２の送液ポンプ１６，２３の駆動が停止されるとともに、排液ポンプ４０が駆動されて管路切換弁３７が排液管路３９側に切換えられる。これによって、洗滌槽２内の洗滌液が第２の排液口３３から排液管路３９を通じて外部に排出される。洗滌槽２内の洗滌液が完全に排出されると、続いて、給水弁１４が開かれ、新しい水が洗滌槽２内に供給される。そして、第１および第２の送液ポンプ１６，２３が再び駆動され、前述した循環作用によって内視鏡１の内部管路と外面のすすぎが行なわれる。
【００３７】
すすぎ水によるすすぎが終了すると、すすぎ水を洗滌槽２から完全に排出した状態で水切りが行なわれる。この水切りでは、第１及び第２の送液ポンプ１６，２３の駆動が停止されるとともにコンプレッサー３２が駆動され、コンプレッサー３２からのエアーがエアー供給管路３１を通じて第２の送液管路２４に送られる。第２の送液管路２４に送られるエアーは、いずれかの分岐管路２５，２６を通じて内視鏡１の内部管路に送られて、内視鏡１の内部管路の水切りとを行なう。
【００３８】
以上のすすぎ工程が終了すると、続いて消毒工程が行なわれる。この消毒工程では、まず初めに、ポンプ３５が駆動される。これによって、消毒液タンク３４内の消毒液が消毒液送液管路３６を介して消毒液ノズル１０から洗滌槽２内に注入されて洗滌槽２が消毒液で満たされる。したがって、トップカバー３の平面部３ａの内面は満たされた消毒液に接して消毒される。
【００３９】
さらに、消毒液ノズル１０にはスリット１０ａが設けられているため、消毒液の一部がスリット１０ａからトップカバー３の凸部３ｂの内面に向かって噴出し、トップカバー３の特に凸部３ｂの内面が消毒される。洗滌槽２内に所定量の消毒液が注入されて内視鏡１が消毒液に完全に浸漬されると、ポンプ３５の駆動が停止され、続いて第２の送液ポンプ２３が駆動される。これにより、洗滌槽２内の消毒液は、いずれかの分岐管路２５，２６を通じて内視鏡１の内部管路に送られて、洗滌槽２の側壁及びトップカバー３の内面の消毒と内視鏡１の内部管路の消毒とを行なう。
【００４０】
このような消毒が所定時間行なわれた後、管路切換弁３３が消毒液戻し管路３８側に切換えられて、洗滌槽２内の消毒液が消毒液戻し管路３８を通じて消毒液タンク３４内に回収される。その後、前述したすすぎ工程によって消毒液のすすぎ行なわれる。
【００４１】
すすぎ工程によって消毒液を完全にすすいだ後、送気工程が行なわれる。この送気工程は前述したすすぎ工程の後半に行なわれる水切りと同じ手順で行なわれる。そして、一定時間経過後、排液ポンプ４０が停止される。
【００４２】
以上説明したように、本実施形態の内視鏡洗滌消毒装置は、消毒工程時に、洗滌槽２内を消毒液で満たすとともに、消毒液ノズル１０のスリット１０ａから消毒液を噴出することにより、トップカバー３の平面部３ａの内面が消毒液に接して消毒され、凸部３ｂの内面はスリット１０ａから噴出する消毒液によって消毒される。したがって、内視鏡１の消毒とともに洗滌槽２の側壁及びトップカバー３の消毒が同時に確実に行えるという効果がある。
【００４３】
このように、本実施形態の内視鏡洗滌消毒装置にあっては、洗滌槽２のとりわけトップカバー３が清潔に保たれ、洗滌槽２の壁面やトップカバー３の内面に付着した細菌等の汚染物質が洗滌槽２にセットされた内視鏡１に付着して内視鏡１を再汚染してしまう可能性を排除することができる。
【００４４】
なお、前記実施形態においては、消毒工程時に洗滌槽２に消毒液を満たすとともに、スリット１０ａから消毒液を噴出する場合について説明したが、洗浄工程時及びすすぎ工程時においても、同様に洗滌槽２に洗滌液を満たし、洗滌ノズル９から洗滌液をトップカバー３の凸部３ｂに向かって噴出させてもよい。
【００４５】
また、前記実施形態においては、送液チューブ４２に対して着脱可能なローラポンプ４５及びピンチローラ４６を採用しているために、送液チューブ４２の外部から洗剤に接することなく洗剤の送液及び遮断ができ、洗剤の汚染を防止できるとともに、送液チューブ４２を取り外して洗滌及び消毒することもできる。
【００４６】
図４は、第２の実施形態を示し、洗剤供給前と洗剤供給後に洗剤ボトル４１の重量を計測するようにしたものである。まず、洗滌工程前に、図４のフローチャートに示すルーチンにしたがって洗剤ボトル４１の総重量を計測して少なくとも１回の洗滌に必要な洗剤が洗剤ボトル４１に残っているか否かを確認する。すなわち、ステップＳ１で、洗剤ボトル総重量Ｗ１をロードセル４７によって計測し、ステップＳ２で、洗剤ボトル総重量Ｗ１が１００ｇより小さいか判定し、ＮＯの場合にはステップＳ３に移り、洗剤の供給を開始し、ＹＥＳの場合にはステップＳ４に移り、異常警報音を発して係員に洗剤ボトル４１の洗剤残量が１回の洗滌に不十分であり、補給が必要であることを促す。
【００４７】
ステップＳ３で、洗剤の供給を開始した後、ステップＳ５で、洗剤の供給を停止する。次に、ステップ６で、再び洗剤ボトル総重量Ｗ２を計測し、ステップ７で、洗剤供給前と洗剤供給後の重量差が設定値以下（Ｗ１−Ｗ２＜５０ｇ）を判定する。そして、ステップＳ７でＹＥＳの場合にはステップＳ４に移り、送液管路系の異常により送液が正しく行われなかったと判断して異常警報音を発生する。また、ステップＳ７でＮＯの場合には、ステップＳ８に移り、洗滌工程を開始する。
【００４８】
したがって、洗剤ボトル４１から洗剤を洗滌槽２に供給する工程時に送液管路系に詰り、ローラポンプ４５の故障等が発生して洗剤の供給量が不十分の場合には洗滌工程を開始する前に係員が異常であることを知ることができ、洗剤が不十分であることを知らずに洗滌するという不具合を解消できる。
【００４９】
第３の実施形態は、ロードセル４７が洗剤ボトル４１内の洗剤の残量を計測し、その残量を音声によって係員に報知するようにしたものである。すなわち、残量が２９９〜２５０ｇの場合には、「洗剤は後５回分でなくなる、補給してください。」と音声によって報知する。同様に、２４９〜２００ｇの場合には、「洗剤は後３回分でなくなる。」、１９９〜１５０ｇの場合には、「洗剤は後２回分でなくなる、補給してください。」、１４９〜１００ｇの場合には、「洗剤は後１回でなくなる、補給してください。」、「９９〜５０ｇの場合は、洗剤不足を補給してください。」とすることにより、洗滌工程前に洗剤ボトル４１内の残量の度合いを知ることができる。また、音声に限らず、ディスプレイ表示でもよい。
【００５０】
図５は第４の実施形態を示し、ロードセル４７が洗剤ボトル４１内の洗剤の残量を計測し、その残量を表示装置に表示して係員に報知するようにしたものである。すなわち、（ａ）は表示パネル５０に残量を示す複数個のインジケータ５１を設け、残量に応じてインジケータ５１を点灯させて表示するようにしたものである。（ｂ）は目盛り盤５２と指針５３により残量をアナログ表示するようにしたものである。（ｃ）は複数個の表示ランプ５４を並べて配置し、残量に応じて表示ランプ５４を点灯するようにしたものである。
【００５１】
前述した実施形態によれば、次のような構成が得られる。
（付記１）洗滌槽内に洗剤を自動的に供給して内視鏡を洗滌・消毒する内視鏡洗滌消毒装置において、洗剤を貯溜する洗剤容器と、前記洗剤容器の洗剤を前記洗滌槽に供給するための洗剤供給手段と、前記洗剤容器内の洗剤が設定値以下の場合に報知する報知手段とを具備したことを特徴とする内視鏡洗滌消毒装置。
【００５２】
（付記２）前記洗剤供給手段は、送液チューブと、この送液チューブに着脱可能なローラポンプであることを特徴とする付記１記載の内視鏡洗滌消毒装置。
（付記３）前記送液チューブには洗滌槽に着脱可能なコネクタを有していることを特徴とする付記２記載の内視鏡洗滌消毒装置。
【００５３】
（付記４）前記報知手段は、洗剤容器の重量によって洗剤の残量を検知する重量センサからの信号によって作動することを特徴とする付記１記載の内視鏡洗滌消毒装置。
【００５４】
（付記５）前記報知手段は、音声による警告、表示による警告のいずれか１つまたは組み合わせであることを特徴とする付記１記載の内視鏡洗滌消毒装置。
（付記６）前記報知手段は、洗剤容器内の洗剤残量を表示する表示装置であることを特徴とする付記１記載の内視鏡洗滌消毒装置。
【００５５】
（付記７）前記洗剤供給手段による洗剤供給工程中、洗剤容器の残量変化量を計測し、一定時間中に指定の変化量がない場合に異常であることを報知する異常報知手段を有していることを特徴とする付記１記載の内視鏡洗滌消毒装置。
【００５６】
【発明の効果】
以上説明したように、本発明によれば、洗剤容器内の洗剤は洗剤供給手段によって洗滌槽に自動的に供給されるとともに、洗剤容器内の洗剤の残量は重量センサによって計測され、洗剤容器内の洗剤の残量度合いによって異なる報知がされるため、洗剤の残量度合いによって対処できるという効果がある。
【図面の簡単な説明】
【図１】本発明の第１の実施形態に係る内視鏡洗滌消毒装置の構成図。
【図２】同実施形態の洗剤供給装置の斜視図。
【図３】同実施形態の作用を示すフローチャート図。
【図４】本発明の第２の実施形態の作用を示すフローチャート図。
【図５】本発明の第４の実施形態を示す構成図。
【符号の説明】
１…内視鏡
２…洗滌槽
４１…洗剤ボトル
４２…送液チューブ
４５…ローラポンプ
４７…ロードセル
【図１】
0004175687.tif 000002
【図２】
0004175687.tif 000003
【図３】
0004175687.tif 000004
【図４】
0004175687.tif 000005
【図５】
0004175687.tif 000006